(57)【特許請求の範囲】
【請求項１】
柱部材上に載置されてピン結合された鋼部材の引張力が作用する下面に強化繊維シートを接着した鋼構造物の補強方法であって、
帯状の強化繊維シートで構成される固定部材を前記鋼部材に接着された前記強化繊維シート及び前記柱部材に接着により固定し、さらに、帯状の強化繊維シートで構成される補強部材を、前記鋼部材に接着された前記強化繊維シート及び前記固定部材と、前記鋼部材とに接着により固定することを特徴とする鋼構造物の補強方法。
【請求項２】
前記鋼部材は垂直方向に延びるウェブと該ウェブの上下両端に設けられた一対のフランジとを有する鋼部材であり、前記ピン結合は前記鋼部材のウェブの下端側に設けられた前記フランジが前記柱部材上に載置されて行われ、
前記固定部材の固定は、前記固定部材の一端の内側面を前記鋼部材の下面に接着された前記強化繊維シートの一側面に接着固定し、前記固定部材を引っ張りつつ前記柱部材の外周を巻くようにして前記固定部材の内側面を前記柱部材の外周面に接着し、前記固定部材の他端を前記鋼部材の下面に接着された前記強化繊維シートの他側面に接着固定することで行い、
前記補強部材の固定は、前記補強部材の一端の内側面を前記鋼部材の下側のフランジの一方側上面に接着固定し、前記補強部材を引っ張りつつ下側の前記フランジの一側面、前記固定部材の外側面及び前記鋼部材に接着された前記強化繊維シートの一側面、前記鋼部材に接着された前記強化繊維シートの下面、前記固定部材の外側面及び前記鋼部材に接着された前記強化繊維シートの他側面の順に前記補強部材の内側面を接着し、前記補強部材の他端の内側面を前記鋼部材の下側のフランジの他方側上面に接着固定することで行うことを特徴とする請求項１に記載の鋼構造物の補強方法。
【発明の詳細な説明】
【技術分野】
【０００１】
本発明は、橋梁や工場などの天井クレーン走行桁などの鋼構造物の補強方法に関する。
【背景技術】
【０００２】
橋梁や工場などの天井クレーン走行桁などの鋼構造物を補強する方法として、例えば、図５に示す鋼構造物の補強方法が知られている（特許文献１参照）。図５は、従来の鋼構造物の補強方法を示すもので、鋼構造物の鋼部材を、その表面上に強化繊維シートを接着することにより補強する場合の要部を示す断面図である。
図５に示す鋼構造物の補強方法においては、先ず、鋼構造物１０１における鋼部材１０２の引張力の作用する表面（下面）に、端部１０４（１０４−１，１０４−２，…，１０４−ｎ）が階段状に重なるように複数枚の強化繊維シート１０３（１０３−１，１０３−２，…，１０３−ｎ）を接着する。そして、強化繊維シート３における階段状に重なった端部１０４に対し、それを覆うカバーシート１０５を、鋼部材１０２の表面と各強化繊維シート１０３の端部１０４とに接着することにより取り付ける。
【０００３】
このように、鋼構造物１０１における鋼部材１０２の引張力の作用する表面（下面）に、強化繊維シート１０３を接着することにより、鋼構造物１０１における鋼部材１０２の引張力の作用する表面を補強することができ、当該鋼部材１０２に作用する応力を低減することができる。これにより、疲労耐久性を向上させることができる。また、強化繊維シート１０３は、鉄製の補強部材に比べて極めて軽く、補強部材を鋼構造物に取り付ける際に、溶接を用いないので、補強部材の施工を極めて簡便にすることができる。
【０００４】
また、鋼構造物１０１における鋼部材１０２の引張力の作用する表面に、端部１０４が階段状に重なるように複数枚の強化繊維シート１０３を接着するので、鋼構造物の荷重または変形が増加した場合に強化繊維シートが端部から剥離することを効果的に防止することができる。
更に、強化繊維シート３における階段状に重なった端部１０４に対し、それを覆うカバーシート１０５を、鋼部材１０２の表面と各強化繊維シート１０３の端部１０４とに接着することにより取り付けるので、鋼構造物の荷重または変形が一層増加した場合に強化繊維シートが端部から剥離することをより一層効果的に防止することができる。
【先行技術文献】
【特許文献】
【０００５】
【特許文献１】特開２００７−３３２６７４号公報
【発明の概要】
【発明が解決しようとする課題】
【０００６】
しかしながら、この図５に示す従来の鋼構造物の補強方法にあっては、次の問題点があった。
即ち、鋼構造物１０１における鋼部材１０２の引張力の作用する表面に、端部１０４が階段状に重なるように複数枚の強化繊維シート１０３を接着し、かつ端部１０４を覆うカバーシート１０５を、鋼部材１０２の表面と各強化繊維シート１０３の端部１０４とに接着することにより取り付けて強化繊維シート１０３が端部１０４から剥離することをより一層効果的に防止することができるものの、図６（ａ）に示すように、鋼部材１０２（図６（ａ）にあっては、鋼部材は、天井クレーン（図示せず）が走行クレーン走行桁であってビルトＨなどで形成されている）に上方から更に大きな荷重Ｐが作用し、更にその過大な荷重Ｐが繰り返し鋼部材１０２に作用すると、図６（ｂ）に示すように、鋼部材１０２の下面に過大な引張力が繰り返し作用し、カバーシート１０５とともに繊維強化シート１０３の端部１０４が鋼部材１０２の表面から剥離してしまうことを防止することができず、結果的に鋼部材１０２が破壊してしまうことがあった。
【０００７】
なお、図６（ａ），（ｂ）において、クレーン走行桁である鋼部材１０２の両端は、１対の柱部材１０６上に載置されてピン結合されている。ここで、「ピン結合」とは、鋼部材が柱部材上に載置された状態で凹凸結合しているものをいう。凹凸結合には、一方の部材が凹形状部分を有し、他方の部材がこの凹形状部分に嵌合する凸部分を有して結合している場合や、一方の部材を他方の部材にピンやボルトで結合している場合を含む。図６（ａ），（ｂ）において、各柱部材１０６は、垂直方向に延びる形鋼で形成される柱部１０７と柱部１０７の上面に接合された平板部１０８とからなり、鋼部材１０２を構成するＨ形鋼の下部フランジの下面と平板部１０８とがピン結合している。
【０００８】
従って、本発明は上述の問題点を解決するためになされたものであり、その目的は、柱部材上に載置されてピン結合された鋼部材の引張力が作用する下面に強化繊維シートを接着した鋼構造物において、強化繊維シートの端部が剥離するような過大な荷重が上方から作用しあるいは当該荷重が繰り返し作用した場合でも、強化繊維シートの剥離を防止できるとともに、仮に強化繊維シートが剥離した場合でも、鋼部材の破壊を防止することができる鋼構造物の補強方法を提供することにある。
【課題を解決するための手段】
【０００９】
上記目的を達成するために、本発明のうち請求項１に係る鋼構造物の補強方法は、柱部材上に載置されてピン結合された鋼部材の引張力が作用する下面に強化繊維シートを接着した鋼構造物の補強方法であって、帯状の強化繊維シートで構成される固定部材を前記鋼部材に接着された前記強化繊維シート及び前記柱部材に接着により固定し、さらに、帯状の強化繊維シートで構成される補強部材を、前記鋼部材に接着された前記強化繊維シート及び前記固定部材と、前記鋼部材とに接着により固定することを特徴としている。
また、本発明のうち請求項２に係る鋼構造物の補強方法は、請求項１記載の鋼構造物の補強方法において、前記鋼部材は垂直方向に延びるウェブと該ウェブの上下両端に設けられた一対のフランジとを有する鋼部材であり、前記ピン結合は前記鋼部材のウェブの下端側に設けられた前記フランジが前記柱部材上に載置されて行われ、前記固定部材の固定は、前記固定部材の一端の内側面を前記鋼部材の下面に接着された前記強化繊維シートの一側面に接着固定し、前記固定部材を引っ張りつつ前記柱部材の外周を巻くようにして前記固定部材の内側面を前記柱部材の外周面に接着し、前記固定部材の他端を前記鋼部材の下面に接着された前記強化繊維シートの他側面に接着固定することで行い、前記補強部材の固定は、前記補強部材の一端の内側面を前記鋼部材の下側のフランジの一方側上面に接着固定し、前記補強部材を引っ張りつつ下側の前記フランジの一側面、前記固定部材の外側面及び前記鋼部材に接着された前記強化繊維シートの一側面、前記鋼部材に接着された前記強化繊維シートの下面、前記固定部材の外側面及び前記鋼部材に接着された前記強化繊維シートの他側面の順に前記補強部材の内側面を接着し、前記補強部材の他端の内側面を前記鋼部材の下側のフランジの他方側上面に接着固定することで行うことを特徴としている。
【００１１】
ここで、請求項１及び２において、「ピン結合」とは、鋼部材が柱部材上に載置された状態で凹凸結合しているものをいう。凹凸結合には、一方の部材が凹形状部分を有し、他方の部材がこの凹形状部分に嵌合する凸部分を有して結合している場合や、一方の部材を他方の部材にピンやボルトで結合している場合を含む意である。
また、請求項１及び２において、「強化繊維シート」とは、炭素繊維、金属繊維、ガラス繊維、又は有機繊維等の強化繊維を布状の薄いシート状にしたものをいう。強化繊維を一方向に配列したものであっても、そうでないシート状織物であってもよい意である。
【発明の効果】
【００１２】
本発明に係る鋼構造物の補強方法によれば、柱部材上に載置されてピン結合された鋼部材の引張力が作用する下面に接着した強化繊維シートを、柱部材に固定部材により固定するので、柱部材上に載置されてピン結合された鋼部材の引張力が作用する下面に強化繊維シートを接着した鋼構造物において、強化繊維シートの端部が剥離するような過大な荷重が上方から作用しあるいは当該荷重が繰り返し作用し鋼部材の下面に接着された強化繊維シートの端部が剥離しようとした場合に、柱部材に固定された固定部材から強化繊維シートに引張力が作用して強化繊維シートを拘束し、当該強化繊維シートの当該下面からの剥離を防止することができる。また、仮に、強化繊維シートが当該下面から剥離した場合でも、固定部材によって強化繊維シートを支えるため、重ね梁の効果が期待でき、鋼部材の破壊を防止することができるとともに、柱部材からの鋼部材の落下を防止することができる。
【００１３】
また、本発明に係る鋼構造物の補強方法によれば、前記固定部材は、帯状の強化繊維シートで構成され、前記固定部材を前記鋼部材に接着された前記強化繊維シート及び前記柱部材に接着により固定することにより、前記強化繊維シートを前記柱部材に固定するので、鋼部材に接着した強化繊維シートと同様の材質の強化繊維シートを固定部材として利用できるとともに、鋼部材の下面に接着された強化繊維シートを簡易な方法で柱部材に固定することができる。
【００１４】
更に、本発明に係る鋼構造物の補強方法によれば、帯状の強化繊維シートで構成される補強部材を、前記鋼部材に接着された前記強化繊維シート及び前記固定部材と、前記鋼部材とに接着により固定するので、鋼部材に接着された強化繊維シートを柱部材に固定する固定部材及び強化繊維シートを更に補強部材によって鋼部材に固定できることになり、鋼構造物において、強化繊維シートの端部が剥離するような過大な荷重が上方から作用しあるいは当該荷重が繰り返し作用し鋼部材の下面に接着された強化繊維シートの端部が剥離しようとした場合に、補強部材の接着せん断力が強化繊維シートに作用して強化繊維シートを拘束し、当該強化繊維シートの前記下面からの剥離をより強固に防止することができる。また、鋼部材に接着した強化繊維シート及び固定部材を構成する強化繊維シートと同様の材質の強化繊維シートを補強部材として利用できる。
【図面の簡単な説明】
【００１６】
【図１】本発明に係る鋼構造物の補強構造の第１実施形態を示し、（Ａ）は正面図、（Ｂ）は底面図である。但し、（Ｂ）においては、柱部材における柱部を省略してある。
【図２】図１（Ａ）における２−２線に沿う断面図である。
【図３】図１示す鋼構造物の補強構造において、鋼部材に上方から強化繊維シートの端部が剥離するような過大な荷重が上方から作用し、更にその過大な荷重が繰り返し鋼部材に作用した場合の説明図である。
【図４】本発明に係る鋼構造物の補強構造の第２実施形態を示し、（Ａ）は正面図、（Ｂ）は（Ａ）における４Ｂ−４Ｂ線に沿う断面図である。
【図５】従来の鋼構造物の補強方法を示すもので、鋼構造物の鋼部材を、その表面上に炭素繊維シートを接着することにより補強する場合の要部を示す断面図である。
【図６】図５に示す従来の鋼構造物の補強方法において、鋼部材に上方から過大な荷重が作用し、更にその過大な荷重が繰り返し鋼部材に作用した場合の説明図である。
【発明を実施するための形態】
【００１７】
以下、本発明の実施の形態を図面を参照して説明する。図１は、本発明に係る鋼構造物の補強構造の第１実施形態を示し、（Ａ）は正面図、（Ｂ）は底面図である。但し、（Ｂ）においては、柱部材における柱部を省略してある。図２は、図１（Ａ）における２−２線に沿う断面図である。
図１に示す鋼構造物１は、工場における天井クレーン走行桁に適用されるもので、クレーン走行桁である鋼部材２の長手方向（図１（Ａ）における左右方向）の両端が、１対の柱部材４上に載置されてピン結合されている。ここで、「ピン結合」とは、鋼部材２が柱部材４上に載置された状態で凹凸結合しているものをいう。凹凸結合には、一方の部材が凹形状部分を有し、他方の部材がこの凹形状部分に嵌合する凸部分を有して結合している場合や、一方の部材を他方の部材にピンやボルトで結合している場合を含む。
【００１８】
各柱部材４は、垂直方向に延びる形鋼で形成される柱部５と柱部５の上面に接合された平板部６とからなる。平板部６は、矩形状の板部材で、その主面を構成する下面が柱部５の上面に接合されている。
鋼部材２は、Ｈ形鋼で形成されるクレーン走行桁であって、垂直方向に延びるウェブ２ａと、ウェブ２ａの上下両端に設けられた一対の上側フランジ２ｂ及び下側フランジ２ｃとからなる。そして、下側フランジ２ｃの両端が各柱部材４の平板部６上に載置され、下側フランジ２ｃと平板部６とがピン結合されている。そして、天井クレーン（図示せず）の荷重が上方から鋼部材２の上側フランジ２ｂに下方に向けて作用するようになっている。鋼部材２に対し、上方から荷重が作用すると、鋼部材２を構成するＨ形鋼が長手方向の略中央部が下側凸となるように変形し、上側フランジ２ｂの上面に圧縮力が作用し、下側フランジ２ｃの下面に引張力が作用することになる。
【００１９】
そして、鋼部材２を構成するＨ形鋼の引張力が作用する下側フランジ２ｃの下面には、１対の柱部材４間における当該下面のほぼ全域を覆うように強化繊維シート３が接着により固定されている。強化繊維シート３は、複数枚（本実施形態にあっては２枚）の強化繊維シート３ａ，３ｂからなり、これら複数枚の強化繊維シート３ａ，３ｂが、鋼部材２を構成するＨ形鋼の引張力が作用する下側フランジ２ｃの下面に重ねて接着されている。各強化繊維シート３ａ，３ｂは、炭素繊維、金属繊維、ガラス繊維、又は有機繊維等の強化繊維を布状の薄いシート状にしたものをいい、強化繊維を一方向に配列したものであっても、そうでないシート状織物であってもよい。
【００２０】
ここで、強化繊維シート３を、鋼部材２を構成するＨ形鋼の引張力が作用する下側フランジ２ｃの下面に接着することにより、鋼部材２の引張力の作用する下面を補強することができ、当該鋼部材２に作用する応力を低減することができる。これにより、疲労耐久性を向上させることができる。また、強化繊維シート３は、鉄製の補強部材に比べて極めて軽く、補強部材を鋼構造物に取り付ける際に、溶接を用いないので、補強部材の施工を極めて簡便にすることができる。
【００２１】
そして、強化繊維シート３は、図１（Ａ），（Ｂ）に示すように、強化繊維シート３の長手方向両端において、１対の固定部材７により、１対の柱部材４の平板部６に固定されている。このため、図３に示すように、１対の柱部材４上に載置されてピン結合された鋼部材２の引張力が作用する下側フランジ２ｃの下面に強化繊維シート３を接着した鋼構造物１において、強化繊維シート３の長手方向両端部が剥離するような過大な荷重Ｐが上方から作用しあるいは当該荷重Ｐが繰り返し作用し鋼部材２の下面に接着された強化繊維シート３の長手方向両端部が剥離しようとした場合に、各柱部材４に固定された各固定部材７から強化繊維シート３に引張力Ｆ１が作用して強化繊維シート３を拘束し、当該強化繊維シート３の、鋼部材２の下面からの剥離を防止することができる。また、仮に、強化繊維シート３が当該下面から剥離した場合でも、各固定部材７によって強化繊維シート３を支えるため、重ね梁の効果が期待でき、鋼部材２の破壊を防止することができるとともに、各柱部材４からの鋼部材２の落下を防止することができる。
【００２２】
ここで、各固定部材７は、帯状の強化繊維シートで構成される。そして、各固定部材７を、鋼部材２に接着された強化繊維シート３及び各柱部材４に接着により固定することにより強化繊維シート３を各柱部材４に固定する。各固定部材７をよる強化繊維シート３の具体的な固定方法については、後に詳述する。
また、鋼部材２に接着された強化繊維シート３の長手方向両端部及び１対の固定部材７は、帯状の強化繊維シートで構成される１対の補強部材８により鋼部材２に固定される。各補強部材８を、鋼部材２に接着された強化繊維シート３及び各固定部材７と、鋼部材２とに接着により固定する。各補強部材８を用いた強化繊維シート３及び各固定部材７の具体的な固定方法は、後に詳述する。
【００２３】
これにより、鋼部材２に接着された強化繊維シート３を１対の柱部材４に固定する１対の固定部材７及び強化繊維シート３を更に１対の補強部材８によって鋼部材２に固定できることになり、鋼構造物１において、図３に示すように、強化繊維シート３の端部が剥離するような過大な荷重Ｐが上方から作用しあるいは当該荷重Ｐが繰り返し作用し鋼部材２の下面に接着された強化繊維シート３の長手両端部が剥離しようとした場合に、各補強部材８の接着せん断力Ｆ２が強化繊維シート３に作用して強化繊維シート３を拘束し、当該強化繊維シート３の当該下面からの剥離をより強固に防止することができる。
【００２４】
次に、鋼構造物１の補強方法について、手順を追って説明する。
先ず、図１において、鋼部材２を構成するＨ形鋼の下側フランジ２ｃの下面に、強化繊維シート３を接着により固定する。この固定に際しては、先ず、当該下面に、エポキシ樹脂やアクリル樹脂等を成分とする樹脂接着剤を塗布し、当該樹脂接着剤が固化しないうちに、１層目の強化繊維シート３ａを樹脂接着剤が塗布された下側フランジ２ｃの下面に重ねる。次いで、強化繊維シート３ａの上（下面）にさらに同様の樹脂接着剤を塗布し、２層目の強化繊維シート３ｂを樹脂接着剤が塗布された強化繊維シート３ａの上（下面）に重ねる。そして、樹脂接着剤を固化させる。これにより、鋼部材２を構成するＨ形鋼の下側フランジ２ｃの下面に、強化繊維シート３が固定される。
【００２５】
次いで、帯状の強化繊維シートで構成される１対の固定部材７を用いて、強化繊維シート３を１対の柱部材４の平板部６に固定する。具体的には、図１（Ａ），（Ｂ）に示すように、各固定部材７の一端の内側面を強化繊維シート３の一側面に接着剤により接着固定し、固定部材７を引っ張りつつ平板部６の外周を巻くようにして固定部材７の内側面を平板部の外周面に接着し、固定部材７の他端を強化繊維シート３の他側面に接着剤により接着固定する。これにより、強化繊維シート３は１対の柱部材４の平板部６に固定される。
【００２６】
そして、最後に、帯状の強化繊維シートで構成される１対の補強部材８を用いて、強化繊維シート３及び固定部材７を更に鋼部材２に固定する。具体的には、図１（Ａ）,（Ｂ）及び図２に示すように、各補強部材８の一端の内側面を鋼部材２の下側フランジ２ｃの一方側上面に接着剤により接着固定し、補強部材８を引っ張りつつ下側フランジ２ｃの一側面、固定部材７の外側面及び強化繊維シート３の一側面、強化繊維シート３の下面、固定部材７の外側面及び強化繊維シート３の他側面の順に補強部材８の内側面を接着し、補強部材８の他端の内側面を鋼部材２の下側フランジ２ｃの他方側上面に接着剤により接着固定する。これにより、強化繊維シート３及び１対の固定部材７は、鋼部材２に固定される。
【００２７】
このように、１対の柱部材４上に載置されてピン結合された鋼部材２の引張力が作用する下面に接着した強化繊維シート３を、１対の柱部材４に１対の固定部材７により固定する。これにより、前述したように、１対の柱部材４上に載置されてピン結合された鋼部材２の引張力が作用する下面に強化繊維シート３を接着した鋼構造物１において、強化繊維シート３の端部が剥離するような過大な荷重Ｐが上方から作用しあるいは当該荷重Ｐが繰り返し作用し鋼部材２の下面に接着された強化繊維シート３の長手方向両端部が剥離しようとした場合に、各柱部材４に固定された各固定部材７から強化繊維シート３に引張力Ｆ１が作用して強化繊維シート３を拘束し、当該強化繊維シート３の当該下面からの剥離を防止することができる。また、仮に、強化繊維シート３が当該下面から剥離した場合でも、各固定部材７によって強化繊維シート３を支えるため、重ね梁の効果が期待でき、鋼部材２の破壊を防止することができるとともに、各柱部材４からの鋼部材２の落下を防止することができる。
【００２８】
また、各固定部材７は、帯状の強化繊維シートで構成され、各固定部材７を鋼部材２に接着された強化繊維シート３及び各柱部材４に接着により固定することにより、強化繊維シート３を１対の柱部材４に固定するので、鋼部材２に接着した強化繊維シート３と同様の材質の強化繊維シートを固定部材７として利用できるとともに、鋼部材２の下面に接着された強化繊維シートを簡易な方法で柱部材４に固定することができる。
【００２９】
更に、帯状の強化繊維シートで構成される１対の補強部材８を、鋼部材２に接着された強化繊維シート３及び１対の固定部材７と、鋼部材２とに接着により固定するので、前述したように、鋼部材２に接着された強化繊維シート３を１対の柱部材４に固定する１対の固定部材７及び強化繊維シート３を更に１対の補強部材８によって鋼部材２に固定できることになり、鋼構造物１において、強化繊維シート３の端部が剥離するような過大な荷重Ｐが上方から作用しあるいは当該荷重Ｐが繰り返し作用し鋼部材２の下面に接着された強化繊維シート３の長手方向両端部が剥離しようとした場合に、各補強部材８の接着せん断力Ｆ２が強化繊維シート３に作用して強化繊維シート３を拘束し、当該強化繊維シート３の前記下面からの剥離をより強固に防止することができる。また、鋼部材２に接着した強化繊維シート３及び固定部材７を構成する強化繊維シートと同様の材質の強化繊維シートを補強部材８として利用できる。
【００３０】
次に、本発明に係る鋼構造物の補強構造の第２実施形態を説明する。図４は、本発明に係る鋼構造物の補強構造の第２実施形態を示し、（Ａ）は正面図、（Ｂ）は（Ａ）における４Ｂ−４Ｂ線に沿う断面図である。図４（Ａ），（Ｂ）において、図１（Ａ），（Ｂ）及び図２に示す部材と同一の部材については同一の符号を付し、その説明は省略することがある。
【００３１】
図４（Ａ），（Ｂ）に示す鋼構造物１の補強構造は、図１（Ａ），（Ｂ）及び図２に示す補強構造と基本構成は同様であるが、固定部材の構成が異なっている。
即ち、図１（Ａ），（Ｂ）及び図２に示す補強構造においては、各固定部材７が、帯状の強化繊維シートで構成され、各固定部材７を、鋼部材２に接着された強化繊維シート３及び各柱部材４に接着により固定することにより強化繊維シート３を各柱部材４に固定する。これに対して、図４（Ａ）,（Ｂ）に示す補強構造においては、各固定部材９は、剛性のある構造体で構成されている。具体的に述べると、各固定部材９は、矩形形状の鋼製の平板部９ａと、平板部９ａの下面であって幅方向両端に設けられた三角形状の１対の鋼製のリブ９ｂとから構成されている。各リブ９ｂの上下方向に延びる側面が平板部９ａの一側面と面一になるように各リブ９ｂが平板部９ａに接合されている。そして、各固定部材９を構成する平板部９ａの前記一側面及び各リブ９ｂの前記側面が、柱部材４の柱部５に溶接により固定される。また、固定部材９を構成する平板部９ａの上面が接着又はボルトにより強化繊維シート３に固定される。これにより、強化繊維シート３は柱部材４に固定される。
【００３２】
そして、鋼構造物１の補強方法について、手順を追って説明すると、先ず、図４（Ａ），（Ｂ）において、図１（Ａ）,(Ｂ)に示す場合と同様に、鋼部材２を構成するＨ形鋼の下側フランジ２ｃの下面に、強化繊維シート３を接着により固定する。強化繊維シート３を前記下面に固定する手順は、前述と同様である。
次いで、各固定部材９を構成する平板部９ａの一側面及び各リブ９ｂの側面を、柱部材４の柱部５に溶接により固定する。また、固定部材９を構成する平板部９ａの上面を接着又はボルトにより強化繊維シート３に固定する。これにより、強化繊維シート３は柱部材４に固定される。
この鋼構造物１の補強方法によれば、固定部材９として剛性のある構造体を用いることによって、図１（Ａ）,(Ｂ)及び図２で説明した固定方法よりも、強化繊維シート３を柱部材４により強固に固定することができる。
以上、本発明の実施形態について説明してきたが、本発明はこれに限定されずに種々の変更、改良を行うことができる。
【００３３】
例えば、鋼構造物１として天井クレーンの走行桁を例に説明したが、鋼構造物１は、柱部材上に鋼部材が載置されてピン結合され、鋼部材に上方から荷重が作用し鋼部材の下面に引張力が作用する構造のものであれば、天井クレーンの走行桁に限られるものではない。また、鋼部材２が、Ｈ形鋼で構成されている例を説明したが、Ｈ形鋼で構成されるものに限らず、上方から荷重が作用した際に下面に引張力が作用する構造のものであればよい。
また、鋼部材２の下面に接着される強化繊維シート３は、２枚の強化繊維シート３ａ，３ｂで構成されているが、１枚でも２枚より多くてもよい。
【００３４】
また、固定部材は、強化繊維シート３を柱部材４に固定するものであればよく、帯状の強化繊維シートで構成されて鋼部材２に接着された強化繊維シート３及び柱部材４に接着により固定したり、あるいは、剛性のある構造体で構成された固定部材を柱部材４に溶接により固定するとともに、固定部材を鋼部材２に接着された強化繊維シート３に接着又はボルトにより固定するものに限られない。
また、剛性のある構造体で固定部材９を構成した場合、その形状は、平板部９ａと平板部９ａに接合される１対のリブ９ｂで形成される必要はなく、また、材質は鋼製でなくてもよい。
更に、帯状の強化繊維シートで構成される補強部材８を、必ずしも用いなくても良い。
【符号の説明】
【００３５】
１  鋼構造物
２  鋼部材
２ａ  ウェブ
２ｂ  上側フランジ
２ｃ  下側フランジ
３，３ａ，３ｂ  強化繊維シート
４  柱部材
５  柱部
６  平板部
７  固定部材
８  補強部材
９  固定部材
９ａ  平板部
９ｂ  リブ
１０１  鋼構造物
１０２  鋼構造物
１０３  強化繊維シート
１０４  端部
１０５  カバーシート
１０６  柱部材
１０７  柱部
１０８  平板部
【図１】
0005942497.tif 000002
【図２】
0005942497.tif 000003
【図３】
0005942497.tif 000004
【図４】
0005942497.tif 000005
【図５】
0005942497.tif 000006
【図６】
0005942497.tif 000007